(57)【要約】  車両部品（１０）は本体（１２）及び照明システム（１４）を備え、照明システム（１４）は、本体（１２）の外側に開口する開口部（１８）を有する空洞部（２２）を画定するチャンバと、空洞部（２２）に配置され且つ開口部（１８）に向かって光を発するように構成された光源（２０）とを備え、車両部品（１０）は、開口部（１８）と開口部（１８）に隣接する本体（１２）の少なくとも一つの領域とを覆う外皮部（２４）を更に備え、外皮部（２４）は、光源（２０）のスイッチがオンにされたときに、光源（２０）によって発せられた光を通過させるように構成される。
2019522584.tif 000002
【特許請求の範囲】
【請求項１】
本体（１２）及び照明システム（１４）を備える車両部品（１０）であって、
前記照明システム（１４）は、前記本体（１２）の外側に開口する開口部（１８）を有する空洞部（２２）を画定するチャンバと、前記空洞部（２２）に配置され且つ前記開口部（１８）に向かって光を発するように構成された光源（２０）とを備え、
当該車両部品（１０）は、前記開口部（１８）と該開口部（１８）に隣接する前記本体（１２）の少なくとも一つの領域とを覆う外皮部（２４）を更に備え、
前記外皮部（２４）は、前記光源（２０）のスイッチがオンにされたときに、該光源（２０）によって発せられた光を通過させるように構成される、車両部品（１０）。
【請求項２】
前記照明システム（１４）は、与えられた入射光について、前記外皮部（２４）によって反射されて吸収される入射光の強度が、前記空洞部（２２）の内側に向かって前記外皮部（２４）によって透過され、前記空洞部（２２）において反射されて該空洞部（２２）の外側に向かって前記外皮部（２４）によって透過される入射光の強度よりも大きくなるように構成される、請求項１に記載の車両部品（１０）。
【請求項３】
前記外皮部（２４）は透光性材料を含む、請求項１又は２に記載の車両部品（１０）。
【請求項４】
光拡散器（２６）が前記光源（２０）と前記外皮部（２４）との間の前記空洞部（２２）に配置される、請求項１〜３のいずれか１項に記載の車両部品（１０）。
【請求項５】
前記光源（２０）は、発光ダイオードのような複数の発光素子を備える光リボン（２０ａ）を備える、請求項１から４のいずれか１項に記載の車両部品（１０）。
【請求項６】
前記本体（１２）に接続された窓（３６）を更に備え、
前記本体（１２）は、前記開口部（１８）と前記窓（３６）との間に配置されたシェード部（４２）を備え、該シェード部（４２）は、前記開口部（１８）から前記窓（３６）に発せられる光の光路と交差する、請求項１〜５のいずれか１項に記載の車両部品（１０）。
【請求項７】
前記光源（２０）によって発せられる光パターンを制御するように構成されたコントローラ（２８）を更に備える、請求項１〜６のいずれか１項に記載の車両部品（１０）。
【請求項８】
少なくとも一つのセンサを更に備え、
前記コントローラ（２８）は、前記少なくとも一つのセンサ（３０、３２）によって該コントローラに提供された信号に基づいて、前記光源（２０）によって発せられる光パターンを制御するように構成される、請求項７に記載の車両部品（１０）。
【請求項９】
前記光源（２０）によって発せられる光パターンはコントローラ設定（３４）に基づいて前記コントローラ（２８）によって制御される、請求項７又は８に記載の車両部品（１０）。
【請求項１０】
前記本体（１２）はドアトリムである、請求項１〜９のいずれか１項に記載の車両部品（１０）。
【請求項１１】
前記本体（１２）はインストルメントパネルのようなフロントトリムである、請求項１〜９のいずれか１項に記載の車両部品（１０）。
【請求項１２】
請求項１〜１１のいずれか１項に記載の車両部品（１０）を備える、車両（１００）。
【請求項１３】
前記開口部（１８）の位置及び／又は向きは、前記照明システム（１４）によって発せられた光が、頭が運転席のヘッドレストに載り且つ目の焦点が車両（１００）のフロントガラスに合わせられた平均サイズのドライバの周辺視野領域（４８）に位置するように配置される、請求項１２に記載の車両（１００）。
【請求項１４】
少なくとも部分的に反射防止コーティングで覆われた第２車両部品（４０）を更に備える、請求項１２又は１３に記載の車両（１００）。
【発明の詳細な説明】
【技術分野】
【０００１】
本発明は本体及び照明システムを備える車両部品に関する。特に、本発明は車両部品における照明システムの統合の改良に向けられている。車両部品は自動車の内部において使用されうる。
【背景技術】
【０００２】
特開２０１５−０３９９７９号公報の日本の特許出願には、車両のドアの内側に配置され且つ乗員がドアを開くときに後方車両又は歩行者に乗員の注意を喚起するように赤色の光を発するように構成された車両ドア開報知照明装置が記載されている。照明装置は、ドアの内側に設けられた帯状の導光体を含む。
【０００３】
しかしながら、斯かる照明装置では、ドアに導光体を滑らかに統合するための準備がなされてなく、このことは客室の視覚的側面を悪化させる。このため、照明システムを備える新しいタイプの車両部品が必要とされている。
【発明の概要】
【０００４】
この点に関して、本開示は、本体及び照明システムを備える車両部品であって、照明システムは、本体の外側に開口する開口部を有する空洞部を画定するチャンバと、空洞部に配置され且つ開口部に向かって光を発するように構成された光源とを備え、車両部品は、開口部と開口部に隣接する本体の少なくとも一つの領域とを覆う外皮部を更に備え、外皮部は、光源のスイッチがオンにされたときに、光源によって発せられた光を通過させるように構成される、車両部品に関する。
【０００５】
チャンバはフレームによって且つ／又は本体の形状によって具現化されうる。フレームは本体に統合されてもよい。フレームの形状に応じて、フレームの内側又はフレーム上に光源を配置することができる。
【０００６】
外皮部は、開口部に隣接する本体の少なくとも一つの領域を覆う。例えば、本体は空洞部の外側のトリム本体を備え、上記隣接領域はトリム本体の外面の少なくとも一部を備える。
【０００７】
上述した構造のおかげで、外皮部は開口部と本体の領域とを連続的に覆い、このことによって、統合された照明システムを有する車両部品の滑らかな側面が確実なものとなる。
【０００８】
いくつかの実施形態では、照明システムは、与えられた入射光について、外皮部によって反射されて吸収される入射光の強度が、空洞部の内側に向かって外皮部によって透過され、空洞部において反射されて空洞部の外側に向かって外皮部によって透過される入射光の強度よりも大きくなるように構成される。
【０００９】
光が外皮部に入射すると、光は、反射され、吸収され、透過され又はこれらの組合せとなる。「反射され」とは、光がその光が来た側と同じ側に少なくとも部分的に送り返されることを意味する。「透過され」とは、光が外皮部を通過してその光が来た側とは反対側に出ることを意味する。「吸収され」とは、光が外皮部の材料に吸収されることを意味し、すなわち光が透過も反射もされないことを意味する。単純化の理由から、外皮部の内側に散乱された光は、散乱光が外皮部を出るかどうかに応じて、該当する場合には散乱光が外皮部を出る場所に応じて、透過され、反射され又は吸収されたと見なされる。
【００１０】
照明システムの列挙された上記の構成は、特に、外皮部の透過係数、外皮部の反射係数及び空洞内の材料の反射係数に依存する。
【００１１】
列挙された上記の構成によって、外皮部が入射光によって照らされると、光は外皮部によってほとんど反射され且つ／又は吸収される。入射光の僅かな部分のみが外皮部によって透過される。このため、外皮部の一方の側、例えば空洞部の外側に位置する観察者にとって、外皮部の外観は、観察者の側で反射された光の相対光強度と、外皮部の他方の側、例えば空洞部の内側から発せられ又は反射されて外皮部を通って観察者に透過される光の相対光強度とに依存する。
【００１２】
空洞部の内側が比較的暗く（例えば光源のスイッチがオフにされるとき）且つ本体の外側（すなわち車両の客室）が比較的明るい第１の状況では、空洞部の内側から車両部品の外側に外皮部によって透過された光の量は、車両部品の外側で外皮部によって反射（及び散乱）された光の量に比べて少ない。このため、車両部品の外部の観察者は、主に外皮部によって反射された光を見ることとなり、外皮部を通って開口部の外に来る光を知覚しない。このことによって、外皮部は空洞部の内側を隠すように機能する。
【００１３】
空洞部の内側が比較的明るく（例えば光源のスイッチがオンにされるとき）且つ空洞部の外側がスイッチオンされた光源に比べて比較的暗い第２の状況では、空洞部の内側から車両部品の外側に外皮部によって透過された光の量は、車両部品の外側で外皮部によって反射された光の量に比べて多い。このため、車両部品の外側の観察者は、光源によって発せられて外皮部によって透過された光をほとんど見ることになる。
【００１４】
このため、外皮部は、光源のスイッチがオンにされたときに、光源によって発せられた光を通過させ、光源のスイッチがオフにされたときに本体の外側から光源及び空洞部を隠す。この構成は、車両部品の外観を更に改善し、光がオフであるときに追加の滑らかな側面を提供する。
【００１５】
外皮部は、透光性材料、一方向ミラー、ビームスプリッタ又はこれらの均等物を含むことができる。更なる例が以下に提供される。材料は、それぞれ、少なくとも可視波長に対して透光性、一方向ミラー又はビームスプリッタと見なされる。
【００１６】
外皮部が透光性材料を含むとき、上述されたように光源のスイッチがオフにされたときに空洞部の内部が日中の条件の間に不可視である限り、人間の目によって見える波長のスペクトルについての材料の透過係数は、発光源によって使用されるエネルギーの損失を制限するのに十分大きくなるように選択されうる。
【００１７】
いくつかの実施形態では、光拡散器が光源と外皮部との間の空洞部に配置される。拡散器のおかげで、光源から来る光が散乱され、一貫した均質な光表面が生成され、均一な拡散源の印象が与えられる。加えて又は代替的に、外皮部は光拡散特性を有していてもよい。外皮部及び光拡散器の組み合わされた透過係数は、６０％未満にされ、好ましくは５０％未満にされうる。
【００１８】
いくつかの実施形態では、光源は、発光ダイオードのような複数の発光素子を備える光リボンを備える。斯かる構成によって、長い表面を照らすことが容易となる。発光ダイオードは制御が容易な低消費光源である。
【００１９】
いくつかの実施形態では、車両部品は、本体に接続された窓を更に備え、本体は、開口部と窓との間に配置されたシェード部を備え、シェード部は、開口部から窓に発せられる光の光路と交差する。シェード部は、止めなければ開口部から窓に直接進んで窓に反射するであろう光線を止める。このため、ドライバを妨害しうる反射が回避される。
【００２０】
いくつかの実施形態では、車両部品は、光源によって発せられる光パターンを制御するように構成されたコントローラを更に備える。光パターンは、光源によって発せられた光のアニメーション、強度及び／又は色によって特徴付けられうる。斯かる光パターンは、車室を照らすだけでなく、車両の乗員の周囲の部分を強調することも可能とする。
【００２１】
いくつかの実施形態では、車両部分は少なくとも一つのセンサを更に備え、コントローラは、少なくとも一つのセンサによってコントローラに提供された信号に基づいて、光源によって発せられた光パターンを制御するように構成される。センサは、速度センサ、外側の照明センサ、外側の物体近接検出器、ドア開放センサ等でありうる。コントローラは、ドライバに簡単な情報を提供するように、少なくとも一つのセンサによって収集された情報に応じて光パターンを制御する。
【００２２】
いくつかの実施形態では、光源によって発せられた光パターンはコントローラ設定に基づいてコントローラによって制御される。例えば、光パターンは、車両内に所望の雰囲気を生成するために所定のパターンに従って変化してもよい。
【００２３】
いくつかの実施形態では、本体はドアトリムである。ドアトリムは車両の側面のドアに配置される。本体がドアトリムであるとき、上述の窓は車両の横の窓でありうる。
【００２４】
いくつかの実施形態では、本体はインストルメントパネルのようなフロントトリムである。フロントトリムは、ドライバの前方、すなわち車両の前側に配置される。本体がフロントトリムであるとき、上述の窓は車両のフロントガラスでありうる。フロントトリムは、インストルメントパネルの上方部分、すなわち上方インストルメントパネルでありうる。
【００２５】
本開示は、上で定義されたような車両部品を備える車両に関する。
【００２６】
いくつかの実施形態では、開口部の位置及び／又は向きは、照明システムによって発せられた光が、頭が運転席のヘッドレストに載り且つ目の焦点が車両のフロントガラスに合わせられた平均サイズのドライバの周辺視野領域に位置するように配置される。このため、照明システムによって発せられた光は、ドライバによって効果的に知覚されるが、ドライバを妨害することはなく、ドライバの注意を道路から遠ざけることはない。
【００２７】
いくつかの実施形態では、車両は、少なくとも部分的に反射防止コーティングで覆われた第２車両部品を備える。反射防止コーティングは、光源によって発せられた光の光反射を低減し又は防止する。
【図面の簡単な説明】
【００２８】
【図１】図１は、一実施形態に係る車両部品の概略的な断面図である。
【図２】図２は、本体がドアトリムである、別の実施形態に係る車両部品の概略的な断面図である。
【図３】図３は、本体が上方インストルメントパネルである、別の実施形態に係る車両部品の概略的な断面図である。
【図４】図４は、一実施形態に係る車両部品を備える車両の上面図である。
【図５】図は、一実施形態に係る車両部品を備える車両の後方内側図である。
【図６】図６は、人間の目の視覚領域の概略的な図である。
【発明を実施するための形態】
【００２９】
本発明及びその利点は、非限定的な例として与えられる本発明の実施形態の以下の詳細な説明を読むことでより理解されるだろう。この説明は添付の図面を参照する。
【００３０】
図１を参照して、第一実施形態の車両部品が説明される。図１は車両部品１０の概略的な断面図である。車両部品１０は本体１２及び照明システム１４を備える。照明システム１４は本体１２に少なくとも部分的に収容される。本実施形態では、照明システム１４は、本体１２に統合されたフレーム１６を備える。しかしながら、例えば本体１２が必要な形状を有する場合には、フレーム１６は必ずしも必要ではない。この実施形態では、フレーム１６は、本体１２の対応する溝に配置される。加えて、フレーム１６はＵ字状のフレームである。しかしながら、他の形状も可能である。フレーム１６は、本体１２の外側に開口する開口部１８を有する。例えば、本体１２が車両の内側トリムであるとき、開口部１８は車両のコンパートメント上に開口してもよい。
【００３１】
照明システム１４は、フレーム１６内に配置され且つ開口部１８に向かって光を発するように構成された光源２０を備える。この実施形態では、フレーム１６及び／又は本体１２は、開口部１８の一方の側に空洞部２２を画定するチャンバとして機能する。光源２０は、空洞部２２の内側に収容され、空洞部２２に光を発するように構成される。その光は、その後、開口部１８を通って空洞部２２から出る。
【００３２】
この実施形態では、光源２０は、発光ダイオード（ＬＥＤ）のような複数の発光素子を備える光リボン２０ａを備える。光リボン２０ａは、赤、緑及び青のＬＥＤを備えることができる。しかしながら、当業者によって他の適切な光源が選択されうる。
【００３３】
前述したように、車両部品１０は外皮部（skin）２４を更に備える。外皮部２４は、開口部１８と、開口部１８に隣接する本体１２の領域とを覆う。さらに、外皮部２４は、光源２０のスイッチがオンにされたときに、光源２０によって発せられた光を通過させるように構成される。言い換えれば、外皮部２４は、光源２０によって発せられた光が空洞部２２及び本体１２の外側に向かって開口部１８及び外皮部２４を通過することができるような材料及び／又は構造を有する。
【００３４】
例えば、外皮部２４は、織物繊維、光ファイバ、木材繊維、硬質プラスチック材料、例えば、ポリカーボネート（ＰＣ）、ポリカーボネートとアクリロニトリルブタジエンスチレンとの混合物（ＰＣ／ＡＢＳ）、ポリ（メチルメタクリレート）（ＰＭＭＡ）若しくはこれらの均等物、又は軟質プラスチック材料、例えば、ポリ塩化ビニル（ＰＶＣ）、熱可塑性オレフィン（ＴＰＯ）若しくはエチレンプロピレンジエンモノマー（ＥＰＤＭ）、又はこれらの均等物のような透光性材料（translucent material）を含むことができる。
【００３５】
変形例では、外皮部２４は、一方向ミラー、ビームスプリッタ又はこれらの均等物を含んでもよい。
【００３６】
より一般的には、外皮部２４は、与えられた入射光について、外皮部によって反射されて吸収される入射光の強度が、空洞部２２の内側に向かって外皮部によって透過され、空洞部２２において反射されて空洞部２２の外側に向かって外皮部２４によって再び透過される入射光の強度よりも大きくなるように構成されうる。
【００３７】
このため、外皮部２４は、図１から分かるように車両部品の滑らかな外観を提供するだけでなく、さらに、光源２０がオフであるときに本体１２の外側から光源２０及びフレーム１６を隠すように構成される。
【００３８】
図１に示されるように、光拡散器２６が光源２０と外皮部２４との間のフレーム１６内に配置される。ここで、光拡散器２６は、光源２０から開口部１８に来る全ての光が光拡散器２６によって拡散されるように、フレーム１６の一方の側から他方の側へ開口部全体に亘って延びる。光拡散器２６のおかげで、光源２０によって発せられた光は、外皮部２４に最も近い光拡散器の側に均質な光表面を生成するように散乱される。
【００３９】
光拡散器２６は、織物、例えば、ナイロン、レーヨン若しくはこれらの均等物、発泡体（foam）、例えば、ポリエチレン（ＰＥ）、ポリウレタン（ＰＵＲ）、ポリ（メチルメタクリレート）（ＰＭＭＡ）若しくはこれらの均等物、ポリマー、例えば、天然繊維、シリコーン若しくはこれらの均等物、又は硬質プラスチック材料、例えば、ポリ（メチルメタクリレート）（ＰＭＭＡ）、アクリロニトリルブタジエンスチレン（ＡＢＳ）、若しくはオパール、プリズム及び／又は木箱（crated）であってもなくてもよいこれらの均等物のような拡散材料から作られうる。
【００４０】
光拡散器２６の厚さ及び光拡散器２６と光源２０との間の距離は、本体１２の外側から完全に均質な光知覚を提供するように設計されてもよい。
【００４１】
外皮部２４は、光源２０がオフであるときにフレーム１６及び光源２０だけでなく光拡散器２６も隠すように構成されてもよい。
【００４２】
図１に示されるように、車両部品は、光源２０によって発せられる光パターンを制御するように構成されたコントローラ２８を更に備えることができる。コントローラ２８は電子制御ユニットでありうる。コントローラ２８は、車両の他のシステムから入力情報を収集し、入力情報を解釈し、入力情報を対応する光パターンに変換し、それに従って、例えば光源２０によって発せられる光のアニメーション、強度及び／又は色を制御することによって光源２０を制御するように構成される。光パターンは、車室を照らし且つ／又はドライバの注意を周囲環境のいくつかの部分に引き付けることができる。
【００４３】
本実施形態では、車両部品は二つのセンサ３０、３２及び車両設定ユニット３４を備える。コントローラ２８は、センサ３０、３２によって送信された情報の関数として、又はセンサ３０、３２が特定の情報を送信しない場合には車両設定ユニット３４によって、光源２０によって発せられる光パターンを制御することができる。車両設定ユニット３４は、デフォルトの光パターンを定義する情報を含むことができる。
【００４４】
例えば、コントローラ２８は、衝突検出センサによって差し迫った衝突が検出されたときに赤色の点滅光を発するように光源２０を制御するように構成されてもよい。
【００４５】
図２及び図３は車両部品の他の実施形態を表す。これら実施形態では、既に説明されたものと同様又は同一の特徴が同一の参照符号で表され又は図面から省略され、これらは再度説明されない。
【００４６】
図２に表された実施形態のようないくつかの実施形態では、本体１２はドアトリムである。図２に示されるように、この実施形態では、車両部品１０は、本体１２に接続された窓３６を更に備える。この実施形態に係る窓３６はサイドドアの窓である。窓３６及び本体１２は、直接又は（例えば第３部品を介して）間接的に、固定された態様又は固定されていない態様で接続されうる。この実施形態では、窓３６は、それ自体公知の態様で、本体１２に対して上下に移動することができる。
【００４７】
上述したように、この実施形態では、本体１２は、開口部１８と窓３６との間に配置されたシェード部４２を備え、シェード部４２は、開口部１８から窓３６に発せられる光の光路と交差する。図２に示されるように、シェード部４２は本体１２の突出部でありうる。図２に示されるように、シェード部４２は外皮部２４によって覆われうる。シェード部４２は、光源２０によって発せられ且つ開口部１８を通って透過された光が、ドライバを邪魔するであろう窓３６における反射を行わないことを確実なものとする。シェード部４２の効果が外皮部２４の効果とは無関係であることに留意されたい。
【００４８】
図３に表された別の実施形態では、本体１２はフロントトリムである。特に、フロントトリムはインストルメントパネルのような上方パネルでありうる。図３に示されるように、この実施形態では、車両部品１０は、本体１２に接続された窓３６を更に備える。この実施形態に係る窓３６はフロントガラスである。フロントガラス３６及び本体１２は、直接又は（例えば第３部品を介して）間接的に、固定された態様又は固定されていない態様で接続されうる。この実施形態では、フロントガラス３６は、それ自体公知の態様で、本体１２に対して固定される。
【００４９】
この実施形態においても、本体１２は、開口部１８とフロントガラス３６との間に配置されたシェード部４２を備え、シェード部４２は、開口部１８からフロントガラス３６に発せられる光の光路と交差する。図３に示されるように、シェード部４２は本体１２の突出部でありうる。図３に示されるように、シェード部４２は外皮部２４によって覆われうる。シェード部４２は、光源２０によって発せられ且つ開口部１８を通って透過された光が、ドライバを邪魔し且つ／又はヘッドアップディスプレイのような他の発せられた光と重なるであろうフロントガラス３６における反射を行わないことを確実なものとする。
【００５０】
一実施形態に係る車両部品１０を備える車両１００が図４及び図５に表される。車両１００は、二つの側部５０、例えば左前方ドア及び右前方ドアと、前方部６０とを備える。
【００５１】
車両１００は、少なくとも、前述された実施形態のいずれか一つに係る車両部品を備える。例えば、側部５０は、本体が図２に関して記載されたようなドアトリムである車両部品を備えることができ、且つ／又は、前方部６０は、本体が図３に関して記載されたようなフロントトリムである車両部品を備えることができる。
【００５２】
図４及び図５の実施形態では、別個の照明システム１４が、側部５０及び前方部６０のそれぞれの車両部品のために使用される。しかしながら、照明システム１４は車両部品に共通であり且つ車両部品間で供給されてもよく、又はいくつかの照明システムが各車両部品内で使用されることすら可能である。
【００５３】
車両１００は第２車両部品４０を備えることができる（図３参照）。図３では、第２車両部品４０は下方パネルとして示される。第２車両部品４０は、上述したような本体及び照明システム１４を備えることができるが、必ずしもそうする必要はない。第２車両部品４０は、少なくとも部分的に反射防止コーティングで覆われてもよい。例えば、光源２０によって発せられた光が開口部１８を通って直接到達する第２車両部品４０の表面が反射防止コーティングで覆われてもよい。この開示では、「直接到達する」とは、開口部１８から出てくる光が反射されることなくその表面に到達することを意味する。当然のことながら、第２車両部品４０の他の表面も上記コーティングで覆われてもよい。少なくとも光源２０によって発せられた光が直接到達する第２車両部品４０の表面が反射防止コーティングで覆われる場合、その後に窓に反射し且つ／又はドライバを妨害しうる上記光の直接反射が回避される。このため、シェード部４２が反射光によって迂回されないことが確実なものとされる。
【００５４】
図５に戻ると、照明システム１４は車両部品内に配置され、車両部品は、開口部１８の位置及び／又は向きが、照明システム１４によって発せられた光が、頭が運転席のヘッドレストに載り且つ目の焦点が車両１００のフロントガラスに合わせられた平均サイズのドライバの周辺視野領域４８に位置するようものとなるように車両１００内に配置される。
【００５５】
図６を参照すると、人間の目の視野は、慣行的には、目が頂点である同軸円錐容積（coaxial conical volumes）に分割される。以下の説明では、円錐容積が、その半頂角、すなわち円錐の軸線と円錐の母線との間の角度によって画定される。円錐の軸線は、目の焦点が合っている方向である。以下に与えられる角度の値は±１０％のマージンで与えられる。
【００５６】
５°の円錐容積（すなわち、目が頂点であり、軸線が目の焦点が合っている方向であり且つ母線が軸線と５°の角度を形成する円錐容積）が中心領域と称される。５°と８°との間の円錐容積が傍中心領域（paracentral region）と称され、８°と１８°との間の円錐容積が黄斑領域と称される。中心領域、傍中心領域及び黄斑領域は、動き、形状及び色を目が正確に知覚する焦点視野領域４６と呼ばれる１８°の円錐容積を共に形成する。ドライバにとって、焦点視野領域４６は、道路条件及び走行条件に焦点を合わせることを意図している。
【００５７】
１８°と３０°との間の円錐容積が近周辺領域と称される。３０°と６０°との間の円錐容積が中周辺領域と称される。６０°と１００°〜１１０°との間の円錐容積が遠周辺領域と称される。近周辺領域、中周辺領域及び遠周辺領域は、目の焦点が合わないが、動き、形状及び色が依然として知覚されうる周辺視野領域４８と呼ばれる１８°と１００°〜１１０°との間の円錐容積を互いに形成する。
【００５８】
自動車のような車両が設計されるとき、頭が運転席のヘッドレストに載り且つ目の焦点が車両のフロントガラスに合わせられた、すなわち実質的に車両の前方の道路に焦点が合わされた平均サイズの着座したドライバの位置を考慮することによって様々な要素が配置される。このため、平均サイズの着座したドライバの位置が、車両内で明確に定義され、車両自体のサブアセンブリによって決定される。
【００５９】
照明システム１４によって発せられた光が平均サイズのドライバの周辺視野領域４８に位置するように照明システム１４を位置付け且つ／又は方向付けることは、ドライバの混乱又は認知的な過負荷なしに、発せられた照明信号を直感的に理解することを確実なものとする。
【００６０】
照明システム１４の位置及び／又は向きは、照明メッセージを妨害しうる望ましくない反射を更に回避すべく、車両の窓の位置に従って設計されてもよい。
【００６１】
特定の例示的な実施形態を参照することによって本発明が説明されてきたが、これら例は、特許請求の範囲によって定義されるような本発明の一般的な範囲から逸脱することなく変形されうる。特に、図示され／言及された種々の実施形態の個々の特徴が追加の実施形態において組み合わされてもよい。このため、説明及び図面は限定的な意味よりもむしろ例示的な意味において考慮されるべきである。
【図１】
2019522584.tif 000003
【図２】
2019522584.tif 000004
【図３】
2019522584.tif 000005
【図４】
2019522584.tif 000006
【図５】
2019522584.tif 000007
【図６】
2019522584.tif 000008
【国際調査報告】
2019522584.tif 000009
2019522584.tif 000010
2019522584.tif 000011